(57)【要約】      （修正有）【課題】警察犬を使った犯人捜索の時に、犯罪現場に残された足跡や犯人の遺留品やそれに付着するＤＮＡ等の微物資料を壊さずに犯人の臭いを移した移行臭布を気温が低い冬季でも短時間で作れ、また、装置は現場に簡単に持ち込み組み立て使える携帯可能な移行臭布採取器を提供する。【解決手段】上面に（ネット状）臭布を乗せる台と、この台を覆うように配置されたケースからなり、当該ケースの左右に連結穴をあけこの連結穴にパイプ７を接続しパイプの途中にドライヤー６を介在させた移行臭採取器装置。【選択図】図３
0003158788.tif 000002
【実用新案登録請求の範囲】
【請求項１】
臭いを移し取る移行臭布を作成する移行臭採取器装置であって、上面に（ネット状）臭布を乗せる台と、この台を覆うように配置されたケースからなり、当該ケースの左右に連結穴をあけると共にこの連結穴に配管パイプを接続する一方、当該配管パイプの途中にドライヤーを介在させたことを特徴とする移行臭採取器装置。
【請求項２】
上面に臭布を乗せた台を覆うケースと遺留品を覆うケースを配置しこれら各ケースを配管パイプにて接続させると共に、当該配管パイプの途中にドライヤーを介在させたことを特徴とする移行臭採取器装置。
【考案の詳細な説明】
【技術分野】
【０００１】  本発明は、警察犬を使った犯人捜索の時に、犯罪現場に残された足跡や犯人の遺留品に付着するＤＮＡ資料等を壊さずに犯人の臭いを移した布（以下「移行臭布」という）を冬季でも短時間で作成し、警察犬の臭覚を使った捜査を有効に活かす移行臭採取器装置に関する。
【背景技術】
【０００２】  警察犬の臭覚能力を使った犯罪捜査の解決手段は従来からしられている。捜査の方法としては、犯罪現場に残された犯人の足跡や遺留品の臭いから追跡追及捜査する方法や、容疑者の残した遺留品の臭いから犯人を臭気選別し特定する方法など、警察犬を使った捜査もその目的により異なるが、いずれにしても犯人の臭いを移した移行臭布が必要になる。【０００３】  特許文献１に開示される警察犬による探知は、犯人に対して着色液の他に強力な持続性のある臭いが封入されたボールや弾丸を命中させ、この臭いをたよりに警察犬を投入し探知することを開示する。【０００４】  特許文献２は、幼児犯罪に対して、警察犬の臭覚能力を積極的に活かす酸臭を内包した香体袋を幼児に保持、携帯させて犯罪の未然防止を図ることを開示する。
【特許文献１】特開２００５−６１６６０
【特許文献２】特開２００８−２１２７８
【考案の開示】
【発明が解決しょうとする課題】
上述した特許文献１は、犯人に着色液や強力な持続性のある臭いを命中させる装置が必要であり、特許文献２は、初めから幼児に香体袋を携帯させるなどの必要があるが、そのような装置や事前の用意が無い場合でも、犯人の足跡が分かれば足跡を壊さずに移行臭布を作成出来、また帽子、衣類、財布などの遺留品からの移行臭布の作成を冬季でも作成しやすくすることを目的とする。
【０００５】  足跡などの移行臭布の作成は、足跡を壊さないように４本足が付いた上面がネット状の物を足跡の上に被せて、上面のネット状の上に移行臭布となる晒しを乗せる。更に、アクリル板等で全体を覆う三角テント形状の上ケースを被せ左右もアクリル板等の側板で塞ぎ、温室効果によって加温されて足跡から蒸散する臭いを晒しに移すことで可能であるが、冬季の気温が低いときなどは蒸散が弱くなり移行臭布が作りにくく、複数枚の移行臭布を一度に作る時には時間がかかり警察犬を使った捜査の時間が掛かってしまう。
【０００６】    したがって、本発明は警察犬を使い臭覚を使った捜査のときに必要となる移行臭布の作成に、気温が低い冬季でも短時間で複数枚の移行臭布を一度に作れ、また、遺留品の場合には触らずに臭の採取が出来るため、犯人の遺留品に付着するＤＮＡや、毛髪などの微物資料を壊さないために、臭布の採取後にＤＮＡの鑑定も容易にできる移行臭布採取器装置を提供することにある。
【課題を解決するための手段】
【０００７】  上記目的を達成するために、足跡の移行臭布採取器は移行臭布を作成する場合、足跡を壊さないように４本足が付いた上面がネット状の物を足跡の上に被せて、上面のネット状の上に移行臭布となる晒しを乗せる。更に、アクリル板等で全体を覆う三角のテント形状の上ケースを被せ、左右もアクリル板等の側板には穴を開けて側板の左右を外配管パイプで繋ぎ、パイプの途中に温風を循環させることが可能なようにドライヤーを組み込む。温風の温度は４０℃程度が足跡からの臭いの蒸散が採取しやすく、冬季の気温が低いときにでも移行臭布が作りやすくなる。また、温風は４０℃程度で良いため、ドライヤ−の電源は１８Ｖ程度で良く、乾電池や自動車のバッテリーなどが電源として使える。
【０００８】  また、衣類や遺留品などから移行臭布を作るときの採取器の場合は、左右２ケのケースを使い、片側のケースには遺留品を入れ、もう片方には移行臭布にする晒しを入れて、左右のケースはケース間の内側を配管し、２ケのケースの外側は温風が循環出来るようにパイプで繋ぎ、ホースの途中にはドライヤーを組み込む。
【発明の効果】
【００９】  本発明においては、警察犬の臭覚能力を使う捜査のときに、足跡を壊さずに、また、犯人の遺留品（帽子、衣類、手袋、財布等）に付着するＤＮＡや、毛髪などの微物資料を壊さず鑑定できる状態で、警察犬用移行臭が採取できる。特に、気温が低い冬季でも短時間で作れることから移行臭布を使った警察犬の捜査を有効に活かす効果を有する。
【００１０】  また、本発明においては、ドライヤーの熱風温度は４０℃程度が臭いの蒸散には好ましく、市販のドライヤーを流用したときの電源は１８Ｖ程度が調度良く、乾電池や自動車のバッテリーで十分に間に合うために携帯用として使え、電源の心配も無く装置の製作コストも廉価で製作出来る効果を有する。
【考案を実施するための最良の形態】
【００１１】  以下本発明の好ましい実施形態を、図面を参照しながら説明する。【００１２】  図１は、足跡を壊さずに移行臭布を作成するときの要領を示した図で、足跡１を壊さない様にネットケース３を被せる。ネットケース３の４角には足３ｂと上面はネット３ａで構成されて、ネット３ａの上に移行臭布の晒し２をピンセット４で挟んで乗せている状況を示した図である。【００１３】  図２は、移行臭布の晒し２を乗せた後に、足跡１の臭いを移行臭布の晒し２に蒸散する臭いを晒しに移しやすくするために、アクリル板等で全体を覆う三角テント形状のケース５を構成する上ケース５ｂと左右もアクリル板等のケース側板５ａで塞ぎ、温室効果によって足跡から蒸散する臭いを晒しに移す、本発明の前に考案し現在使用している状況を示した図である。【００１４】  図３は、本発明の第１実施形態による足跡から採る時の移行臭布採取器を示している。ドライヤーを運転して温風を採取器内部に循環させることで、従来の物よりも足跡から蒸散する臭いを晒しに移す時間を短時間で可能にした。【００１５】  ケース５内の温度を上げるために、配管の途中に組み込んだドライヤーには市販のドライヤー６を用いた。ドライヤー６の温風をケース５内に吹き込み足跡からの臭いを蒸散しやすくするため、左右の側板ケース５ａに穴を明けた所にパイプ７ａとパイプ７ｅをそれぞれ差し込み、その間は外配管でパイプ７ｂを経てパイプ７ｄとパイプ７ｅの間にはドライヤー６を取り付ける。ドライヤー６を運転するとケース５の内部には強制的に温風を循環させることが出来る。【００１６】  ケース５の内部の温度は実験的に４０℃程度に上げることが臭いの採取が早くなることが確認できた。通常だと２０分程度掛かるのが、４０℃程度に温度を上げることで５分程度に短縮する。【００１７】  ケース５内部の温度は、４０℃程度が臭いの採取には好ましいことが実験的に得られたが、市販のドライヤー６を使い４０℃程度の熱風温度を得るには、ドライヤー６に与える電圧は１８Ｖで調度良く、あまり高い電圧でもドライヤー６から発生する温風温度が高くなり過ぎて臭いの採取には好ましく無く、温度が低くても採取に時間が掛かる。実験的に４０℃程度の温度を得られるには電源は１８Ｖで良い。これにより、冬場の地面の温度が低い時にでも足跡から蒸散する臭いを晒しに移す時間を短時間に出来ることを可能とした。【００１８】  ４０℃程度の温風を発生する市販のドライヤー６の電源としては、乾電池１．５Ｖを１２ヶ直列接続すると１８Ｖが得られ、携帯電源９は乾電池で作れる。また、図示していないが自動車のバッテリーをカーコンバーターなど使い１８Ｖに変換すれば電源としても十分使える。【００１９】  温風を循環させるパイプ７は図示するように、市販の塩ビパイプの９０°エルボ７ｃや直管パイプ７ｂの部品を組み立ることで製作出来るため、足跡の現場でも簡単に組み立られる。このため、臭いを採取する採取器はかさばらずに出来ることで携帯用具としても邪魔に成らない。また、アクリル板等で全体を覆う三角テント形状のケース５は、上ケース５ｂと左右アクリル板のケース側板５ａも板状の物を現場で組み立て、合わせ面を接着テープなどで押さえることで製作できるため���かさばらずに携帯出来る。【００２０】  図４は、本発明の第２実施形態による遺留品からの移行臭布採取器を示している。たとえば帽子などの遺留品８を遺留品入れケース５ｃ側に入れ、移行臭布の晒し２は、移行臭布入れケース５ｄにネットケース３の上に乗せて入れて、それぞれのケースはアクリル板等のケース側板５ａをパイプ７ｅで繋ぐ。移行臭布入れケース５ｄの穴を明けた所にパイプ７ａを遺留品入れケース５ｃ側にはパイプ７ｅをそれぞれ差し込む。パイプ７ｄとパイプ７ｅの間は外配管でパイプ７ｂを経てパイプ７ｅとバイプ７ｄの間には実施例１と同じ様にドライヤー６を取り付ける。更に、左右のパイプを中継するパイプ７ｂを繋ぎ、ドライヤー６を運転することで２つのケース５ｃと５ｄの内部に強制的に温風を循環させることが出来、第１実施例と同じ様に移行臭布採取が外気温度に関係なく短時間で採取出来る。なを、第２実施形態による２つのケース５ｃと５ｄは、中に入れる遺留品８や移行臭布の晒し２の出し入れを容易にすめためにケースはチャック式ポリ袋などでも良い。【００２１】  実施例２の場合は、特に、遺留品をケース５ｃに入れてからは遺留品に触らずに臭の採取が出来るため、犯人の遺留品に付着するＤＮＡや、毛髪などの微物資料を壊さないために、臭布の採取後にＤＮＡの鑑定も容易にできる。【００２２】  なお、本発明は、説明した実施形態に限定されることなく、種々の態様で実施することができる。例えば、塩ビのパイプをウレタン製やシリコン製のチューブ等を使うことで軽量化することも出来る。
【図面の簡単な説明】
【００２３】
【図１】  従来の足跡からの移行臭布採取の一例示す斜視図である。
【図２】  従来の足跡からの移行臭布採取の時に、移行臭布の上に被せるケースの設置状況を示す斜視図である。
【図３】  本発明に係わる、第１実施例の足跡からの移行臭布採取器の斜視図である。
【図４】  本発明に係わる、第２実施例の遺留品からの移行臭布採取器の斜視図である。
【符号の説明】
【００２４】１    足跡
２    移行臭布＝晒し
３    ネットケース
４    ピンセット
５    ケース
５ａ  ケース側板
５ｂ  上ケース
５ｃ  遺留品入れケース
５ｄ  移行臭布入れケース
６    ドライヤー
７    パイプ
８    遺留品
９    乾電池
【図１】
0003158788.tif 000003
【図２】
0003158788.tif 000004
【図３】
0003158788.tif 000005
【図４】
0003158788.tif 000006
【手続補正書】
【提出日】平成22年1月22日(2010.1.22)
【手続補正１】
【補正対象書類名】実用新案登録請求の範囲
【補正対象項目名】請求項１
【補正方法】変更
【補正の内容】
【請求項１】
臭いを移し取る移行臭布を作成する移行臭採取器装置であって、上面に臭布を乗せる台と、この台を覆うように配置されたケースからなり、当該ケースの左右に連結穴をあけると共にこの連結穴に配管パイプを接続する−方、当該配管パイプの途中にドライヤーを介在させたことを特徴とする移行臭採取器装置。